(57)【特許請求の範囲】
【請求項１】
擁壁によって形成された区画に無機廃棄物を含む盛土材を埋め立てて得られる圧密成形体層を積層して形成された圧密成形体と雨水との接触を防止する無機廃棄物用防水構造体であって、
下側圧密成形体層と、前記下側圧密成形体層の上に形成された上側圧密成形体層と、前記擁壁の内周面と前記下側圧密成形体層及び前記上側圧密成形体層との間に配置された第１の防水構造体と、前記下側圧密成形体層上に敷設された第２の防水構造体とを備え、
前記下側圧密成形体層は、上面に凹部が形成され、
前記第２の防水構造体は、前記下側圧密成形体層の周縁部を覆う被覆部と、前記被覆部の前記擁壁側に形成され、前記擁壁に沿って上方に折り曲げられた折曲部と、前記被覆部の内周側に形成された固定部とを有し、
前記折曲部の端部は、前記第１の防水構造体に溶着され、
前記固定部の端部は、前記下側圧密成形体層の前記凹部に配置されるとともに、前記凹部に投入されたセメント混練物によって固定され、
前記上側圧密成形体層は、前記第２の防水構造体を埋め込むようにして形成されていることを特徴とする無機廃棄物用防水構造体。
【請求項２】
請求項１に記載の無機廃棄物用防水構造体であって、
前記下側圧密成形体層又は前記上側圧密成形体層は、２つの層を積層して構成されることを特徴とする無機廃棄物用防水構造体。
【請求項３】
擁壁によって形成された区画に無機廃棄物を含む盛土材を埋め立てて得られる圧密成形体層を積層して形成された圧密成形体と雨水との接触を防止する無機廃棄物用防水構造体の形成方法であって、
前記擁壁の内周面に第１の防水構造体を形成する第１工程と、
前記区画内に前記盛土材を投入して締め固めることにより、上面に凹部を有する下側圧密成形体層を形成する第２工程と、
前記下側圧密成形体層の周縁部上に第２の防水構造体を敷設する第３工程と、
前記第２の防水構造体の外周側を前記擁壁に沿って上方に折り曲げて、前記外周側の端部を前記第１の防水構造体に溶着するとともに、前記第２の防水構造体の内周側の端部を前記下側圧密成形体層の前記凹部に配置した後、前記凹部にセメント混練物を投入して固定する第４工程と、
前記第２の防水構造体を埋め込むようにして上側圧密成形体層を形成する第５工程と
を備えることを特徴とする無機廃棄物用防水構造体の形成方法。
【請求項４】
請求項３に記載の無機廃棄物用防水構造体の形成方法であって、
前記下側圧密成形体層又は前記上側圧密成形体層は、２つの層を積層して構成されることを特徴とする無機廃棄物用防水構造体の形成方法。
【発明の詳細な説明】
【技術分野】
【０００１】
本発明は、廃棄物の埋立処分を行う最終処分場において、無機廃棄物を含む盛土材を埋め立てて得られる圧密成形体と雨水との接触を防止する無機廃棄物用防水構造体及びその形成方法に関する。
【背景技術】
【０００２】
従来、廃棄物の埋立処分を行う最終処分場は、日本では、廃棄物の処理及び清掃に関する法律に定められた構造基準と維持管理基準に基づいて設置・運営される。その最終処分場に運び込まれた廃棄物は、同法に定められた廃棄物の区分に従って埋立処分される。
【０００３】
本願発明者は、そのような埋立処分を行う区画内にセメントと無機廃棄物を混練した盛土材を用いてセメント固化物を形成し、最終的には区画全体をそのセメント固化物により、強固な再生地盤として圧密成形体を得る技術を開示している（特許文献１参照）。
【０００４】
その技術において、圧密成形体は、埋立処分を行う区画内に鉄板や仮設堰堤等によって単位区画を形成し、その単位区画内に盛土材の投入と圧縮を繰り返して単位圧密成形体を形成し、その単位圧密成形体を水平方向に展開して圧密成形体層を形成し、その圧密成形体層を積層していくことによって得ることができる。
【０００５】
また、本願発明者は、そのような圧密成形体に含まれている無機廃棄物中の有害物質が雨水に溶出することを防止するために、埋立処分を行う区画を規定する擁壁と圧密成形体との間や、圧密成形体とそれを覆う覆土等との間に防水構造体を設け、圧密成形体と雨水との接触を防止する技術を開示している（特許文献２参照）。
【先行技術文献】
【特許文献】
【０００６】
【特許文献１】特許第４３１７２６０号公報
【特許文献２】特許第４３９７０５０号公報
【発明の概要】
【発明が解決しようとする課題】
【０００７】
ここで、本願発明者は鋭意の試験研究により、最終処分場において、単位圧密成形体や圧密成形体層を次々と製造していく過程においても、単位圧密成形体や圧密成形体層と雨水とが接触することを防止することが望ましいことを知見した。
【０００８】
また、本願発明者は、特許文献１において開示されている技術を用いた場合、単位圧密成形体同士の間や圧密成形体層同士の間には雨水の浸入は防止できるので、圧密成形体層と擁壁との間への雨水の浸入、具体的には、圧密成形体層の側面に対する雨水の接触を防止することが重要であることも知見した。
【０００９】
本発明は以上の点に鑑みてなされたものであり、圧密成形体層の側面に対する雨水の接触を防止することができる無機廃棄物用防水構造体及びその形成方法を提供することを目的とする。
【課題を解決するための手段】
【００１０】
上記目的を達成するために、本発明の無機廃棄物用防水構造体は、擁壁によって形成された区画に無機廃棄物を含む盛土材を埋め立てて得られる圧密成形体層を積層して形成された圧密成形体と雨水との接触を防止する無機廃棄物用防水構造体であって、下側圧密成形体層と、下側圧密成形体層の上に形成された上側圧密成形体層と、擁壁の内周面と下側圧密成形体層及び上側圧密成形体層との間に配置された第１の防水構造体と、下側圧密成形体層上に敷設された第２の防水構造体とを備え、下側圧密成形体層は、上面に凹部が形成され、第２の防水構造体は、下側圧密成形体層の周縁部を覆う被覆部と、被覆部の擁壁側に形成され、擁壁に沿って上方に折り曲げられた折曲部と、被覆部の内周側に形成された固定部とを有し、折曲部の端部は、第１の防水構造体に溶着され、固定部の端部は、下側圧密成形体層の凹部に配置されるとともに、凹部に投入されたセメント混練物によって固定され、上側圧密成形体層は、第２の防水構造体を埋め込むようにして形成されていることを特徴とする。
【００１１】
このように、本発明の無機廃棄物用防水構造体の第２の防水構造体は、被覆部の外周側に形成され、擁壁に沿って上方に折り曲げられた折曲部を有し、その折曲部の端部が、擁壁の内周面と圧密成形体層との間に配置されていて圧密成形体層の側面を覆っている第１の防水構造体に溶着される。
【００１２】
また、第２の防水構造体は、被覆部の内周側に形成された固定部が、下側圧密成形体層の上面に形成された凹部に配置され、その固定部の端部が、セメント混練物に埋め込まれて固定される。さらに、その第２の防水構造体を埋め込むようにして、上側圧密成形体層が形成される。
【００１３】
その結果、圧密成形体層の側面は、第１の防水構造体と第２の防水構造体とによって密閉された状態になるので、圧密成形体層と２つの防水構造体との間に雨水が浸入することがない。
【００１４】
そのため、本発明の無機廃棄物用防水構造体によれば、圧密成形体層の側面に対する雨水の接触を防止することができる。ひいては、圧密成形体層に含まれている無機廃棄物中の有害物質が雨水に溶出することを防止することができる。
【００１５】
また、本発明の無機廃棄物用防水構造体においては、下側圧密成形体層及び上側圧密成形体層は、２つの層を積層して構成されることが好ましい。
【００１６】
このように、本発明の無機廃棄物用防水構造体の下側圧密成形体層及び上側圧密成形体層が２つの層を積層して構成される、すなわち、圧密成形体層を２層積層するごとに無機廃棄物用防水構造体を形成するようにしても、十分に圧密成形体層の側面は密閉された状態になるので、圧密成形体層の側面に対する雨水の接触を防止することができる。
【００１７】
上記目的を達成するために、本発明の無機廃棄物用防水構造体の形成方法は、擁壁によって形成された区画に無機廃棄物を含む盛土材を埋め立てて得られる圧密成形体層を積層して形成された圧密成形体と雨水との接触を防止する無機廃棄物用防水構造体の形成方法であって、擁壁の内周面に第１の防水構造体を形成する第１工程と、区画内に盛土材を投入して締め固めることにより、上面に凹部を有する下側圧密成形体層を形成する第２工程と、下側圧密成形体層の周縁部上に第２の防水構造体を敷設する第３工程と、第２の防水構造体の外周側を擁壁に沿って上方に折り曲げて、外周側の端部を第１の防水構造体に溶着するとともに、第２の防水構造体の内周側の端部を下側圧密成形体層の凹部に配置した後、凹部にセメント混練物を投入して固定する第４工程と、第２の防水構造体を埋め込むようにして上側圧密成形体層を形成する第５工程とを備えることを特徴とする。
【００１８】
このように、本発明の無機廃棄物用防水構造体の形成方法の第３工程及び第４工程を経ることによって得られる第２の防水構造体は、圧密成形体層の周縁部上に敷設される。
【００１９】
そして、第２の防水構造体の外周側は、擁壁に沿って上方に折り曲げられて折曲部を形成し、その折曲部の端部が、擁壁の内周面と圧密成形体層との間に配置されていて圧密成形体層の側面を覆っている第１の防水構造体に溶着される。
【００２０】
また、第２の防水構造体の内周側は、固定部として圧密成形体層の上面に形成された凹部に配置され、その固定部の端部が、セメント混練物に埋め込まれて固定される。さらに、第５工程を経ることによって、その第２の防水構造体を埋め込むようにして、上側圧密成形体層が形成される。
【００２１】
その結果、本発明の無機廃棄物用防水構造体の形成方法の第２工程で形成された圧密成形体層の側面は、第１の防水構造体と第２の防水構造体とによって密閉された状態になるので、圧密成形体層と２つの防水構造体との間に雨水が浸入することがない。
【００２２】
そのため、本発明の無機廃棄物用防水構造体の形成方法によって形成された防水構造体によれば、圧密成形体層の側面に対する雨水の接触を防止することができる。ひいては、圧密成形体層に含まれている無機廃棄物中の有害物質が雨水に溶出することを防止することができる。
【００２３】
また、本発明の無機廃棄物用防水構造体の形成方法においては、下側圧密成形体層及び上側圧密成形体層は、２つの層を積層して構成されることが好ましい。
【００２４】
このように、本発明の無機廃棄物用防水構造体の形成方法の第２工程で形成される下側圧密成形体層及び第５工程で形成される上側圧密成形体層が２つの層を積層して構成される。すなわち、圧密成形体層を２層積層するごとに無機廃棄物用防水構造体を形成するようにしても、十分に圧密成形体層の側面は密閉された状態になるので、圧密成形体層と擁壁との間への雨水の浸入を防止することができる
【図面の簡単な説明】
【００２５】
【図１】第１処分区画、及び、その内部に形成された圧密成形体の構造を模式的に示す説明図。
【図２】本発明の実施形態に係る無機廃棄物用防水構造体の形成方法の工程を示すフローチャート。
【図３】図２のフローチャートの各工程の説明図であり、（ａ）は第１の防水構造体の形成工程、（ｂ）は第１の圧密成形体層及び第２の圧密成形体層の形成工程、（ｃ）は第２の防水構造体の敷設工程、（ｄ）は第２の防水構造体の固定工程、（ｅ）は第３の圧密成形体層の形成工程を示す。
【発明を実施するための形態】
【００２６】
以下、図１〜図３を参照して、本発明の無機廃棄物用防水構造体及びその形成方法の実施形態を説明する。
【００２７】
まず、図１を参照して、埋立処分を行う区画とその内部に形成された圧密成形体について説明する。
【００２８】
埋立処分を行う区画は、最終処分場の造成予定地に、その周囲の地盤との境界に擁壁１を構築しながら、その擁壁１の内側を掘り下げてゆくことによって、窪地として造成される。すなわち、埋立処分を行う区画は、擁壁１によって、その範囲及び深さが規定されている。
【００２９】
また、その掘り下げられた窪地の地盤上には、保護マットに挟まれた遮水シートを配置し、その上にアスファルト舗装を施したり保護砂を配置したりして形成された保護層（不図示）が配置されている。
【００３０】
そのようにして形成された埋立処分を行う区画内の圧密成形体２は、例えば、本願出願人が特許文献１において開示したような盛土材圧密成形工法によって形成される。
【００３１】
その盛土材圧密成形工法では、まず、埋立処分を行う区画において、鉄板等によって単位埋立空間を形成する。その後、その単位埋立空間を、内部仕切り用仮設堰堤によって区切り、第１空間と、その第１空間の側方に位置する第２空間とを形成する。
【００３２】
次に、第１空間に、有害物質濃度が所定値を超えるＢ種無機廃棄物にセメントと水とを加えて練り上げて製造されたＢ種盛土材を投入して締め固めることによって、第１の圧密成形部２０１を形成する。その後、その第１の圧密成形部２０１の上に、有害物質濃度が所定値以下のＡ種無機廃棄物にセメントと水とを加えて練り上げて製造されたＡ種盛土材を投入して締め固めることによって、第２の圧密成形部２０２を形成する。
【００３３】
ここで、有害物質には、生ごみや廃プラスチック等のような一般廃棄物の焼却灰に含有される有害物質や重金属の他、放射性物質が含まれる。
【００３４】
次に、仮設用堰堤を取り払い、第２空間に、Ａ種盛土材を投入して締め固めることによって、第３の圧密成形部２０３を形成する。その後、単位埋立空間を形成するための鉄板等を取り払う。
【００３５】
このように、Ｂ種無機廃棄物を含む第１の圧密成形部２０１を、Ａ種無機廃棄物を含む第２の圧密成形部２０２と第３の圧密成形部２０３とによって覆って、単位圧密成形体２００が形成される。
【００３６】
そして、この単位圧密成形体２００を、水平方向に展開していくことによって圧密成形体層２０を形成し、その圧密成形体層２０を積層（図１においては、１６層を積層）することによって圧密成形体２を形成する。このようにして形成された、圧密成形体２は、強固な再生地盤となる。
【００３７】
次に、図２及び図３を参照して、本発明の無機廃棄物用防水構造体の形成方法について説明する。
【００３８】
まず、図３（ａ）に示すように、埋立処分を行う区画を規定する擁壁１を形成する擁壁構造体１１の内周面に、保護マット１２ａと遮水シート１２ｂとを交互に複数積層して第１の防水構造体１２を形成する（図２／ＳＴＥＰ１（第１工程））。
【００３９】
この後、第１の防水構造体１２上にウレタン３を被覆し、そのウレタン３の表面に不燃性の吹付け体（不図示）を吹付けて被覆構造体を形成する。
【００４０】
次に、図３（ｂ）に示すように、擁壁１によって規定された埋立処分を行う区画内に、第１の圧密成形体層２１を形成し、その第１の圧密成形体層２１の上に、上面に凹部２２ａが形成された第２の圧密成形体層２２を形成して、下側圧密成形体層を形成する（図２／ＳＴＥＰ２（第２工程））。
【００４１】
この凹部２２ａは、第２の圧密成形体層２２上に溝状に形成してもよいし、穴として形成してもよい。
【００４２】
次に、図３（ｃ）に示すように、第２の圧密成形体層２２上に、保護マット４ａと遮水シート４ｂとを交互に複数積層して構成された第２の防水構造体４を敷設する（図２／ＳＴＥＰ３（第３工程））。
【００４３】
この第２の防水構造体４は、第１の防水構造体１２に沿って上方に折り曲げられる折曲部４１と、第２の圧密成形体層２２の上面において、擁壁１と凹部２２ａとの間に領域、すなわち、周縁部を覆う被覆部４２と、被覆部４２の内周側に形成された固定部４３を備えている。また、固定部４３の端部は凹部２２ａに配置されている。
【００４４】
次に、図３（ｄ）に示すように、折曲部４１を、擁壁１に沿って上方に折り曲げ、その端部を第１の防水構造体１２に溶着して溶着部５を形成する。さらにその後、第２の圧密成形体層２２の凹部２２ａにセメント混練物６を投入し、そのセメント混練物６を固化させて、固定部４３の端部を、固定する（図２／ＳＴＥＰ４（第４工程））。
【００４５】
なお、本実施形態の形成方法においては、この第４工程を行う際、第２の防水構造体４をウレタン７で被覆し、そのウレタン７表面に不燃性の吹付け体を吹付けて、被覆構造体（不図示）を形成している。また、セメント混練物６としては、セメントに砂と水等を加えて練り上げたもの（例えば、モルタル）等が用いられる。
【００４６】
次に、図３（ｅ）に示すように、第２の防水構造体４を埋め込むようにして、第３の圧密成形体層２３、すなわち、上側圧密成形体層を形成する（図２／ＳＴＥＰ５）。
【００４７】
このような形成方法によって形成された本実施形態の防水構造体においては、第２の防水構造体４は、擁壁１に沿って上方に折り曲げられた折曲部４１を有し、その折曲部４１の端部が、擁壁１の内周面と第１の圧密成形体層２１及び第２の圧密成形体層２２との間に配置されていて、第１の圧密成形体層２１及び第２の圧密成形体層２２の側面を覆っている第１の防水構造体１２に溶着される。
【００４８】
また、第２の防水構造体４は、被覆部４２の折曲部４１側とは反対側に形成された固定部４３が、第２の圧密成形体層２２の上面に形成された凹部２２ａに配置され、その固定部４３の端部が、セメント混練物６に埋め込まれて固定される。
【００４９】
その結果、第１の圧密成形体層２１及び第２の圧密成形体層２２の側面は、第１の防水構造体１２と第２の防水構造体４とによって密閉された状態になるので、第１の圧密成形体層２１及び第２の圧密成形体層２２と第１の防水構造体１２及び第２の防水構造体４との間に雨水が浸入することがない。
【００５０】
そのため、本実施形態の無機廃棄物用防水構造体によれば、第１の圧密成形体層２１及び第２の圧密成形体層２２の側面に対する雨水の接触を防止することができる。ひいては、第１の圧密成形体層２１及び第２の圧密成形体層２２に含まれている無機廃棄物中の有害物質が雨水に溶出することを防止することができる。
【００５１】
本実施形態の防水構造体の形成方法においては、第１の圧密成形体層２１の上に第２の圧密成形体層２２を形成した後、すなわち、圧密成形体層を２層積層した後に、無機廃棄物用防水構造体を形成している。
【００５２】
これは、本実施形態の防水構造体の形成方法によれば、複数の圧密成形体層を積層した場合であっても、第１の圧密成形体層２１及び第２の圧密成形体層２２の側面は、第１の防水構造体１２と第２の防水構造体４とによって十分に密閉された状態になるので、第１の圧密成形体層２１及び第２の圧密成形体層２２の側面に対する雨水の接触を防止することができるためである。
【００５３】
また、不図示の被覆構造体が、第１の防水構造体１２及び第２の防水構造体４の損傷を防止するとともに、それらの表面側を硬化させている。その結果、第１の防水構造体１２及び第２の防水構造体４が損傷を受けた場合には、その損傷部位が部分的に裂ける、すなわち、損傷部位を視覚的に特定することができるので、迅速な補修処置等が可能である。
【００５４】
以上、図示の実施形態について説明したが、本発明はこのような形態に限られるものではない。
【００５５】
上記実施形態においては、第１の圧密成形体層２１の上に第２の圧密成形体層２２を形成した後に、本発明の無機廃棄物用防水構造体を形成している。
【００５６】
しかし、本発明の無機廃棄物用防水構造体は、そのような構成に限られるものではなく擁壁の高さや第２の防水構造体の大きさ等を考慮して、圧密成形体層１層ごとに形成してもよいし、３層以上積層された圧密成形体層に形成してもよい。
【符号の説明】
【００５７】
１…擁壁、１１…擁壁構造体、１２…第１の防水構造体、１２ａ…保護マット、１２ｂ…遮水シート、２…圧密成形体、２０…圧密成形体層，２１…第１の圧密成形体層，２２…第２の圧密成形体層、２２ａ…凹部，２３…第３の圧密成形体層、２００…単位圧密成形体、２０１…第１の圧密成形部、２０２…第２の圧密成形部、２０３…第３の圧密成形部、３…ウレタン、４…第２の防水構造体、４ａ…保護マット、４ｂ…遮水シート、４１…折曲部、４２…被覆部、４３…固定部、５…溶着部、６…セメント混練物、７…ウレタン。
【要約】
【課題】圧密成形体層の側面に対する雨水の接触を防止することができる無機廃棄物用防水構造体を提供する。
【解決手段】無機廃棄物用防水構造体は、擁壁１の内周面と圧密成形体層２２との間に配置された第１の防水構造体１２と、圧密成形体層２２上に敷設された第２の防水構造体４とを備える。圧密成形体層２２は、上面に凹部２２ａが形成される。第２の防水構造体４は、圧密成形体層２２の周縁部を覆う被覆部４２と、被覆部４２の擁壁１側に形成され、擁壁１に沿って上方に折り曲げられた折曲部４１と、被覆部４２の内周側に形成された固定部４３を有する。折曲部４１の端部は、第１の防水構造体１２に溶着され、固定部４３の端部は、圧密成形体層２２の凹部２２ａに配置されるとともに、凹部２２ａに投入されたセメント混練物６によって固定される。
【選択図】図３【図１】
0005442152.tif 000002
【図２】
0005442152.tif 000003
【図３】
0005442152.tif 000004